(57)【特許請求の範囲】
【請求項１】
複数枚の原稿の両面を読み取ることが可能な読み取り部と、
前記読み取り部によって読み取られた複数枚の原稿の表面および裏面の少なくとも一方の読み取り画像を記憶する画像データ記憶部と、
前記画像データ記憶部に記憶された複数枚の原稿の読み取り画像同士を比較する比較部と、
前記比較部での比較結果に基づいて、前記読み取り部によって読み取られる原稿が、両面原稿か裏紙原稿かを判定する判定部と、
前記判定部の判定結果が両面原稿の場合は、前記読み取り部によって読み取られた表面と裏面の両面の画像を処理し、裏紙原稿の場合は、前記読み取り部によって読み取られた裏紙画像を破棄する処理部とを備えた、画像処理装置。
【請求項２】
前記比較部は、奇数ページ面の画像データ同士、または偶数ページ面の画像データ同士を比較する、請求項１に記載の画像処理装置。
【請求項３】
前記比較部は、処理対象であるページの読み取り画像と、それ以前のページの読み取り画像とを比較する、請求項１または２に記載の画像処理装置。
【請求項４】
前記比較部は、処理対象であるページの読み取り画像と、それ以降のページの読み取り画像とを比較する、請求項１または２に記載の画像処理装置。
【請求項５】
裏紙画像を登録するための裏紙画像データ登録部をさらに備え、
前記判定部は、前記読み取り部によって読み取られる原稿の画像が、前記登録された裏紙画像であるときは、その原稿を裏紙原稿と判定する、請求項１から４のいずれかに記載の画像処理装置。
【請求項６】
前記処理部で廃棄される裏紙画像を、前記裏紙画像データ登録部に登録する、請求項５に記載の画像処理装置。
【請求項７】
裏紙登録モードにおいて読み取られた裏紙画像を、前記裏紙画像データ登録部に登録する、請求項５または６に記載の画像処理装置。
【請求項８】
前記処理部は、前記読み取り部で、処理対象であるページ以降のページを読み取った後に処理を行なう、請求項１から７のいずれかに記載の画像処理装置。
【請求項９】
前記判定部は、判定結果が所定回数連続して同じ結果であった場合、それ以降の判定を行わない、請求項１から８のいずれかに記載の画像処理装置。
【請求項１０】
複数枚の原稿の両面を読み取ることが可能な読み取り部を備えた画像処理装置の制御方法であって、
前記読み取り部によって読み取られた複数枚の原稿の表面および裏面の少なくとも一方の読み取り画像を記憶する画像データ記憶ステップと、
前記画像データ記憶ステップで記憶された複数枚の原稿の読み取り画像同士を比較する比較ステップと、
前記比較ステップでの比較結果に基づいて、前記読み取り部によって読み取られる原稿が、両面原稿か裏紙原稿かを判定する判定ステップと、
前記判定ステップでの判定結果が両面原稿の場合は、前記読み取り部によって読み取られた表面と裏面の両面の画像を処理し、裏紙原稿の場合は、前記読み取り部によって読み取られた裏紙画像を破棄する処理ステップとを備えた、画像処理装置の制御方法。
【請求項１１】
複数枚の原稿の両面を読み取ることが可能な読み取り部を備えた画像処理装置の制御プログラムであって、
前記読み取り部によって読み取られた複数枚の原稿の表面および裏面の少なくとも一方の読み取り画像を記憶する画像データ記憶ステップと、
前記画像データ記憶ステップで記憶された複数枚の原稿の読み取り画像同士を比較する比較ステップと、
前記比較ステップでの比較結果に基づいて、前記読み取り部によって読み取られる原稿が、両面原稿か裏紙原稿かを判定する判定ステップと、
前記判定ステップでの判定結果が両面原稿の場合は、前記読み取り部によって読み取られた表面と裏面の両面の画像を処理し、裏紙原稿の場合は、前記読み取り部によって読み取られた裏紙画像を破棄する処理ステップとをコンピュータに実行させる、画像処理装置の制御プログラム。
【発明の詳細な説明】
【技術分野】
【０００１】
この発明は画像処理装置、画像処理装置の制御方法、および画像処理装置の制御プログラムに関し、特に裏紙原稿を適切に処理することができる画像処理装置、画像処理装置の制御方法、および画像処理装置の制御プログラムに関する。
【背景技術】
【０００２】
画像形成装置（ＭＦＰ（Ｍｕｌｔｉ  Ｆｕｎｃｔｉｏｎ  Ｐｅｒｉｐｈｅｒａｌ）、ファクシミリ装置、複写機など）は、原稿読取装置を備えている。原稿読取装置には、両面同時読み取り機構を備えたものがある。
【０００３】
また、原稿読取の際に、原稿が片面原稿か両面原稿かを自動判別する技術が提示されている。
【０００４】
下記特許文献１は、原稿両面の画像記録の有無を判別して記録面情報として送信するファクシミリ装置を開示している。記録面情報から、受信原稿の記録面を判別することで、片面原稿と両面原稿の混在する原稿を、送信原稿通りに復元記録可能とするものである。
【０００５】
下記特許文献２は、原稿の両面を同時に読み取る場合に、裏面が白紙なのか、必要な情報量があるか等の、出力すべきデータの有無を判定するディジタル複写機を開示している。このような判定により、無駄な複写動作が防止される。
【特許文献１】特開平９−２５２３８６号公報
【特許文献２】特開２００１−７７９６０号公報
【発明の開示】
【発明が解決しようとする課題】
【０００６】
紙資源の節約のため、片面印字済みで既に不要となった片面専用用紙を複写機などで再利用するケースがある。この場合、複写機では片面専用用紙として登録しておくことで両面印字を禁止できるようになっている。
【０００７】
ここでは上記片面専用用紙を裏紙用紙と呼び、さらに裏紙用紙の白紙側の面に片面印字した、または手書きやタイプなどによる情報の書き込みを行なった出力物を、裏紙原稿と呼ぶものとする。すなわち、裏紙原稿とは、片面使用済みの用紙を再利用した原稿である。
【０００８】
裏紙原稿では用紙の両面に情報が存在するが、コピー時に本来ユーザーが複写したい面はその片面側だけである。
【０００９】
しかし、従来の片面原稿か両面原稿かを自動的に判別し、画像面のみを自動的に処理する機能を備えた画像処理装置では、裏紙原稿の場合であっても両面原稿と判別され、裏紙原稿面（複写する必要のない面）も処理されてしまう。それにより、スキャナーモードでは無駄なページが生成ファイル内に混入し、コピーモードでは無駄な印刷結果を出力してしまう。
【００１０】
上記特許文献１の技術は、裏面の画像の有無を白黒の変化点カウントで行なうものであり、裏紙原稿面でも送信してしまう。
【００１１】
上記特許文献２の技術は、裏面の画像の有無を既存のＯＣＲ技術で行なうものであり、裏紙原稿面でも複写してしまう。
【００１２】
この発明は、そのような問題点を解決するためになされたものであり、裏紙原稿を適切に処理することができる画像処理装置、画像処理装置の制御方法、および画像処理装置の制御プログラムを提供することを目的としている。
【課題を解決するための手段】
【００１３】
上記目的を達成するためこの発明のある局面に従うと、原稿の画像を処理する画像処理装置は、複数枚の原稿の両面を読み取ることが可能な読み取り部と、前記読み取り部によって読み取られた複数枚の原稿の表面および裏面の少なくとも一方の読み取り画像を記憶する画像データ記憶部と、画像データ記憶部に記憶された複数枚の原稿の読み取り画像同士を比較する比較部と、比較部での比較結果に基づいて、前記読み取り部によって読み取られる原稿が、両面原稿か裏紙原稿かを判定する判定部と、前記判定部の判定結果が両面原稿の場合は、前記読み取り部によって読み取られた表面と裏面の両面の画像を処理し、裏紙原稿の場合は、前記読み取り部によって読み取られた裏紙画像を破棄する処理部とを備える。
【００１５】
好ましくは前記比較部は、奇数ページ面の画像データ同士、または偶数ページ面の画像データ同士を比較する。
【００１６】
好ましくは前記比較部は、処理対象であるページの読み取り画像と、それ以前のページの読み取り画像とを比較する。
【００１７】
好ましくは前記比較部は、処理対象であるページの読み取り画像と、それ以降のページの読み取り画像とを比較する。
【００１８】
好ましくは画像処理装置は、裏紙画像を登録するための裏紙画像データ登録部をさらに備え、前記判定部は、前記読み取り部によって読み取られる原稿の画像が、前記登録された裏紙画像であるときは、その原稿を裏紙原稿と判定する。
【００１９】
好ましくは画像処理装置は、前記処理部で廃棄される裏紙画像を、前記裏紙画像データ登録部に登録する。
【００２０】
好ましくは画像処理装置は、裏紙登録モードにおいて読み取られた裏紙画像を、前記裏紙画像データ登録部に登録する。
【００２１】
好ましくは前記処理部は、前記読み取り部で、処理対象であるページ以降のページを読み取った後に処理を行なう。
【００２２】
好ましくは前記判定部は、判定結果が所定回数連続して同じ結果であった場合、それ以降の判定を行わない。
【００２３】
この発明の他の局面に従うと、画像処理装置の制御方法は、複数枚の原稿の両面を読み取ることが可能な読み取り部を備えた画像処理装置の制御方法であって、前記読み取り部によって読み取られた複数枚の原稿の表面および裏面の少なくとも一方の読み取り画像を記憶する画像データ記憶ステップと、画像データ記憶ステップで記憶された複数枚の原稿の読み取り画像同士を比較する比較ステップと、比較ステップでの比較結果に基づいて、前記読み取り部によって読み取られる原稿が、両面原稿か裏紙原稿かを判定する判定ステップと、前記判定ステップでの判定結果が両面原稿の場合は、前記読み取り部によって読み取られた表面と裏面の両面の画像を処理し、裏紙原稿の場合は、前記読み取り部によって読み取られた裏紙画像を破棄する処理ステップとを備える。
【００２４】
この発明の他の局面に従うと、画像処理装置の制御プログラムは、複数枚の原稿の両面を読み取ることが可能な読み取り部を備えた画像処理装置の制御プログラムであって、前記読み取り部によって読み取られた複数枚の原稿の表面および裏面の少なくとも一方の読み取り画像を記憶する画像データ記憶ステップと、画像データ記憶ステップで記憶された複数枚の原稿の読み取り画像同士を比較する比較ステップと、比較ステップでの比較結果に基づいて、前記読み取り部によって読み取られる原稿が、両面原稿か裏紙原稿かを判定する判定ステップと、前記判定ステップでの判定結果が両面原稿の場合は、前記読み取り部によって読み取られた表面と裏面の両面の画像を処理し、裏紙原稿の場合は、前記読み取り部によって読み取られた裏紙画像を破棄する処理ステップとをコンピュータに実行させる。
【発明の効果】
【００２５】
これらの発明に従うと、裏紙原稿を適切に処理することができる画像処理装置、画像処理装置の制御方法、および画像処理装置の制御プログラムを提供することが可能となる。
【発明を実施するための最良の形態】
【００２６】
以下、本発明の実施の形態における画像処理装置について説明する。画像処理装置は、両面画像を同時読取できる画像読み取り部を備えた画像形成装置または画像読取装置の画像処理部として機能する。
【００２７】
画像処理装置は、判定部を備えることで、読み取り原稿が両面原稿か裏紙原稿かを判定する。判定結果が両面原稿の場合は、表面および裏面の画像を処理し、裏紙原稿の場合は、裏紙原稿面側の画像を廃棄する（裏紙原稿面側の画像処理をキャンセルする）。
【００２８】
すなわち、本実施の形態によると、裏紙原稿使用時に必要のない裏紙原稿面の画像を廃棄することで、無駄なファイル送信またはプリント出力を防止することができるため、ユーザーの利便性が向上しコスト削減を図ることができる。
【００２９】
［第１の実施の形態］
図１は、本発明の第１の実施の形態におけるＭＦＰの概観図である。
【００３０】
図を参照して、ＭＦＰは自動原稿送り装置を含む画像読取部１と、画像処理部３と、画像形成部５と、給紙部７と、排紙部９とを備える。
【００３１】
ＭＦＰがプリンタとして使用された場合には、画像読取部１で原稿が両面同時読み取りされる。画像処理部３はその画像が両面原稿のものであるか裏紙原稿のものであるか判別し、廃棄するかどうか決定する。画像形成部５は、処理された画像を給紙部７から送られてきた紙にプリントする。プリント出力された紙は排紙部９から排出される。
【００３２】
図２は、自動原稿送り装置を含む画像読取部１の構成を示す図である。
【００３３】
自動原稿送り装置を含む画像読取部１は大きくは、読み取りユニット１０３と、原稿搬送装置１０１とで構成される。
【００３４】
読み取りユニット１０３は、第一読み取り位置２０２と、プラテンガラス２０５と、露光装置２０６と、ミラー２０７，２０８，２０９と、レンズ２１１と、ＣＣＤ（Ｃｈａｒｇｅ  Ｃｏｕｐｌｅｄ  Ｄｅｖｉｃｅ）２１３とを含む。
【００３５】
原稿搬送装置１０１は、給紙トレイ２０１と、給紙ローラー２２０と、分離ローラー２２１と、搬送ローラー２２２と、読み取り前ローラー２２３と、読み取り後ローラー２２４と、第二読み取り位置２０３と、ＣＩＳ（Ｃｏｎｔａｃｔ  Ｉｍａｇｅ  Ｓｅｎｓｏｒ）３２０と、反転ローラー２２５と、排紙ローラー２２６と、排出トレイ２０４とを含む。
【００３６】
原稿搬送装置１０１の給紙トレイ２０１に積載された原稿２００は、給紙ローラー２２０で給紙され、分離ローラー２２１で１枚毎に分離され、搬送ローラー２２２および読み取り前ローラー２２３で第一読み取り位置２０２へ搬送される。読み取りユニット１０３は、第一読み取り位置２０２を通過する原稿２００を露光装置２０６で露光し、プラテンガラス２０５、ミラー２０７，２０８，２０９、およびレンズ２１１を通して、ＣＣＤ２１３からＲＧＢデータとして画像データを生成する。第一読み取り位置２０２を通過した原稿２００は、第二読み取り位置２０３へ搬送される。原稿２００は、第二読み取り位置２０３のＣＩＳ３２０により読み取られ、画像データが生成される。第二読み取り位置２０３で原稿２００が読み取られる面は、第一読み取り位置２０２で読み取られる面とは逆側の面である。原稿２００は、第二読み取り位置２０３を通過後、反転ローラー２２５、排紙ローラー２２６よって搬送され、排出トレイ２０４へ排出される。このように画像を読み取ることにより、一回の通紙で両面の画像を同時に読み取ることができる。
【００３７】
ここで、第一読み取り位置２０２においては、原稿２００は搬送ガイド部材によって、プラテンガラスと非接触で搬送されるよう案内される。また、読み取り後ローラー２２４の回転速度は、読み取り前ローラー２２３の回転速度よりも若干速くすることで、原稿２００が引っ張られるようになる。それにより、原稿２００のたるみによるプラテンガラス２０５と原稿２００との接触を防止する。読取位置のプラテンガラス２０５上に紙粉や粘着物などの異物があると、それらは読み取り位置に留まるため、原稿２００の搬送方向に色筋ノイズとして現れる。異物は主に原稿２００とプラテンガラスとの接触によってプラテンガラス上に供給される。上記のように、原稿２００をプラテンガラスに接触させないことによって、これらの異物の供給を防いでいる。
【００３８】
また、図示しないが、原稿搬送装置１０１の給紙トレイ２０１には、給紙時の傾きを防止するためのガイド部材が設けられている。そのガイド部材に連結された位置検出センサと給紙トレイ２０１の搬送方向に設けられた複数の原稿検出部材との組み合わせにより、給紙トレイ２０１上の原稿のサイズが判別可能となっている。
【００３９】
さらに、原稿搬送装置１０１では、ＣＩＳ３２０を使用せずに、片面読み取り後の原稿を反転させて再び第一読み取り位置２０２を通過させ、ＣＣＤ２１３で原稿の裏面も読み取ることが可能になっている。
【００４０】
図３は、図１のＭＦＰに含まれる制御部を示す図である。
【００４１】
制御部３００は、原稿を読み取る画像読取部１と、画像データを圧縮、伸長するなどの処理を行なう画像処理部５と、画像データのファイル形式を変換するなどの処理を行なう画像変換部３０３と、データを記憶させる処理を行なう記憶部３０５と、画像データの印刷処理を制御する画像出力部３０７と、通信回線を通して画像データを送信するファクシミリ制御部３０９と、ＭＦＰと通信回線および他機器との接続を制御するネットワーク接続部３１１と、システム全体を制御するＣＰＵ（中央演算処理装置）３１３と、書き換え不可能な読み出しのみのデータが保存されているＲＯＭ３１５と、データが一時記憶されるＲＡＭ３１７と、データの書き換えが可能である不揮発メモリ３１９およびＨＤＤ（Ｈａｒｄ  Ｄｉｓｋ  Ｄｒｉｖｅ）３２１と、システムの情報を表示する表示部３２３と、システムに処理命令を与えることのできるパネル操作部３２５とを備える。
【００４２】
また、ＣＰＵ３１３内には、判別部３１３ａと、削除部３１３ｂと、制御部３１３ｃと、通報部３１３ｄとが備えられ、ＣＰＵの各処理を担当している。
【００４３】
さらに、パネル操作部３２５は、裏紙登録モード選択キー３２５ａを備える。
【００４４】
ＣＰＵ３１３を中心に、各モジュールが通信および制御信号に基づいて制御される。ＣＰＵ３１３は、画像読取部１、画像処理部５、画像変換部３０３、記憶部３０５、画像出力部３０７、ファクシミリ制御部３０９、ネットワーク接続部３１１、ＲＯＭ３１５、ＲＡＭ３１７、不揮発メモリ３１９、ＨＤＤ３２１、表示部３２３、およびパネル操作部３２５と通信または信号の送受信を実施することで、制御部３００全体を制御する。
【００４５】
画像読取部１で読み取られた画像データは、ＲＡＭ３１７上に確保されたファイルメモリエリアに一時的に格納される。
【００４６】
また、読み取られた原稿が、画像処理部５で処理され、裏紙画像として登録されるのは、以下のような場合である。
【００４７】
（１）原稿が、両面原稿か裏紙原稿か判別され、裏紙画像（裏紙原稿面の画像）として登録される場合
（２）パネル操作部３２５の裏紙登録モード選択キー３２５ａが選択され、原稿が裏紙画像として登録される場合
（１）、（２）のように、原稿が裏紙画像として登録される場合には、画像データはＲＡＭ３１７上から不揮発メモリ３１９またはＨＤＤ３２１などへ格納される。それにより、バックアップされる。
【００４８】
さらに、読み取られた原稿が裏紙画像だった場合には、ＲＡＭ３１７上から画像データは破棄され、画像出力やファクシミリ送信といった処理は行なわれない。
【００４９】
図４は、画像読取部１における通常の両面同時読み取り時の動作を示す図である。
【００５０】
図中のＰ１〜Ｐ８…は、両面の画像の読み取りを行なう原稿の通しページ番号を示し、ページＰ１から１ジョブについて順番に複数枚の原稿の読み取りが行なわれている状態を示す。
【００５１】
ＣＣＤ２１３と、ＣＩＳ３２０とのそれぞれで読み取られた画像がＲＡＭ３１７上に確保されたファイルメモリエリアに記録される。ＣＣＤ２１３で読み取られた原稿表面の画像のそれぞれには、Ｐ１、Ｐ３、Ｐ５…と奇数ページ番号を付与する。
【００５２】
ＣＩＳ３２０で読み取られた原稿裏面の画像のそれぞれには、Ｐ２、Ｐ４、Ｐ６…と偶数ページ番号を付与する。
【００５３】
通常は、図４に示されるように複数の原稿の表面と裏面とが同時に読み取られることで、表面と裏面との画像が、順次ＲＡＭ３１７上に記録される。読み取られた原稿が、裏紙原稿かどうかを判断するには、表面同士、および裏面同士を比較して判断する。
【００５４】
本実施の形態では、用紙の片面に同じ画像を印刷した裏紙用紙が多数ストックされており、それら裏紙用紙を用いて、裏紙原稿が作成されている状態を想定している。例えば図４において１ジョブ内の原稿全てが同種の裏紙用紙から作成されたものであれば、（ｂ）に示される裏面ページＰ２、Ｐ４、Ｐ６、Ｐ８…の画像はすべて同じものとなる（または、その用紙が裏表逆にセットされたのであれば、（ａ）に示される表面ページＰ１、Ｐ３、Ｐ５、Ｐ７…の画像が全て同じものとなる）。
【００５５】
このような観点から、例えば、図４の２枚目の原稿を読み取るときには、表面ページ側の処理では、ページＰ３の画像データとページＰ１の画像データとが比較される。それら画像データが同一であれば、ページＰ３の画像は裏紙原稿面であり、不要なものであるとして破棄される。また、裏面ページ側の処理では、ページＰ４の画像データとページＰ２の画像データとが比較される。それらの画像データが同一であれば、表面ページの処理と同様に、ページＰ４の画像は裏紙原稿面と判断され破棄される。
【００５６】
また、裏紙原稿面と判断された画像は、裏紙画像として装置に登録される。以降の画像データの処理において、処理対象の画像が、登録された裏紙画像と同一であるか判断することで、裏紙原稿面をより精度良く判別することができる。
【００５７】
図５は、図１のＭＦＰの画像読み取り処理における基本制御を示すフローチャートである。
【００５８】
まず、ステップＳ１０１において、処理対象の画像が原稿の表面か裏面かを判別する。基本的にＣＣＤ２１３で読み取られた画像が表面（奇数ページ面）、ＣＩＳ３２０で読み取られた画像が裏面（偶数ページ面）である。
【００５９】
裏面の場合は、ステップＳ１０３で画像が存在するか否か判断し、画像が存在しない場合は、ステップＳ１０９で画像データを破棄する。これは、読み取られた画像が白紙のものであれば、それを破棄するものである。
【００６０】
ステップＳ１０３で画像が存在した場合は、ステップＳ１０５に進み、更にその画像が裏紙画像か否か判別する。この裏紙判定については図６で説明する。
【００６１】
ステップＳ１０５で裏紙画像と判別された場合は、ステップＳ１０９で画像データを破棄する。裏紙画像ではないと判別された場合は、ステップＳ１０７で通常通りコピー印字またはスキャン送信処理が実行され、正常に画像データは処理される。
【００６２】
なお、原稿の裏面だけでなく、表面も裏面時と同様に上記の判断が実施される。
【００６３】
すなわち、ステップＳ１０１で原稿表面と判断された場合は、ステップＳ１１１で画像が存在するか否か判断される。
【００６４】
ステップＳ１１１で画像が存在しない場合は、ステップＳ１１５へと進み、画像データが破棄される。
【００６５】
ステップＳ１１１で画像が存在した場合はステップＳ１１３に進み、更にその画像が裏紙画像か否か判別する。この裏紙判定については図６で説明する。
【００６６】
ステップＳ１１３で裏紙画像と判別された場合は、ステップＳ１１５で画像データを破棄する。裏紙画像ではない判別された場合は、ステップＳ１０７で通常通りコピー印字またはスキャン送信処理が実行され、正常に画像データは処理される。
【００６７】
図６は、図５のステップＳ１０５またはＳ１１３で実行される裏紙判定処理を示すフローチャートである。
【００６８】
ここでは、読み取った画像が裏紙画像であるかを判断する。ステップＳ２０１において、前回の読み取り画像と今回の読み取り画像とを比較する。ステップＳ２０３で前回の読み取り画像と今回の読み取り画像とが一致するか判断する。前回と今回の読み取り画像が一致した場合は、ステップＳ２０９に進み、読み取り画像は裏紙画像として登録される。その後、図５の「裏紙である」の処理分岐にリターンする。ステップＳ２０３で、前回と今回の読み取り画像が一致しなかった場合は、ステップＳ２０５で、裏紙登録画像と今回の読み取り画像とが比較される。ステップＳ２０７で、裏紙登録画像と今回の読み取り画像が一致するか判断される。一致すれば、図５の「裏紙である」の処理分岐にリターンする。一致しない場合は、図５の「裏紙でない」の処理分岐にリターンする。
【００６９】
ここで具体例として図４のように、両面同時読み取りを行なっていた場合において、Ｐ６の原稿裏面を処理しているときを想定し、図６のフローチャートでどのような処理が行われているか説明する。
【００７０】
まず、ステップＳ２０１で今回の読み取り画像（Ｐ６）と前回の読み取り画像（Ｐ４）とを比較する。
【００７１】
ステップＳ２０３でＰ６とＰ４が一致するか判断する。Ｐ６とＰ４の画像が一致した場合は、一致した画像がステップＳ２０９で裏紙画像として追加登録される。その後、図５の「裏紙である」の処理分岐にリターンする。裏紙画像として登録されたＰ６およびＰ４の画像は、次回から判定で使用される。なお、同じ裏紙画像が複数登録されると効率が悪いため、同じ裏紙画像が複数登録されないように制御することが好ましい。
【００７２】
ステップＳ２０３での判断が不一致の場合は、更にステップＳ２０５で裏紙画像として既に登録されている画像と、Ｐ６の画像とを比較し、ステップＳ２０７で、既に登録されている画像と、Ｐ６の画像とが一致するかどうか判断される。
【００７３】
ステップＳ２０７で、Ｐ６が既に裏紙登録されている画像と一致すると判断された場合は、図５の「裏紙である」の処理分岐にリターンする。不一致と判断された場合は、図５の「裏紙でない」の処理分岐にリターンする。
【００７４】
なお、裏紙判定処理は、図５のフローにもあるように表面か裏面かで別々に判断される。
【００７５】
Ｐ６が裏面の裏紙判定で処理されるとすると、表面の裏紙判定ではＰ５が同様に処理されることになる。Ｐ５の画像の処理の際には、Ｐ５の画像は、Ｐ３の画像と比較され、また、登録された裏紙画像と比較される。
【００７６】
すなわち、ステップＳ２０１での前回の読み取り画像と今回の読み取り画像との比較では、表面（奇数ページ）同士、裏面（偶数ページ）同士が比較されることになる。
【００７７】
また、一台のＭＦＰで複数のジョブが実行される場合には、前ジョブの最後の原稿のページ（前回の読み取り画像）と次ジョブの最初の原稿のページ（今回の読み取り画像）とを比較し、裏紙判定処理を行なうようにしてもよい。
【００７８】
このように図６では、両面原稿であるか裏紙原稿であるかが、自動的に判別される。これにより、ユーザーは、原稿を一枚一枚確認する手間をなくすことができる。
【００７９】
なお、図６では、ステップＳ２０５での裏紙登録画像と今回の読み取り画像の比較を先に行ってから、ステップＳ２０１での前回の読み取り画像と今回の読み取り画像との比較を行ってもよい。
【００８０】
具体的には、裏紙登録画像と今回の読み取り画像とが一致している場合は、図５の「裏紙である」の処理分岐にリターンする。裏紙登録画像と今回の読み取り画像とが一致しないと判断された場合は、前回の読み取り画像と今回の読み取り画像との比較が行われる。前回の読み取り画像と今回の読み取り画像とが一致すると判断された場合は、一致した読み取り画像が裏紙画像として登録される。その後、図５の「裏紙である」の処理分岐にリターンする。前回の読み取り画像と今回の読み取り画像とが不一致と判断された場合は、図５の「裏紙でない」の処理分岐にリターンする。
【００８１】
先に裏紙登録画像と今回の読み取り画像を比較することにより、裏紙として登録されている画像数が少ない場合には、処理を早めることも可能になる。
【００８２】
図７は、図５のステップＳ１０７で実行されるコピー／スキャン処理を示すフローチャートである。
【００８３】
コピー／スキャン処理は、図５のステップＳ１０５またはステップＳ１１３の裏紙判定が終わり、裏紙画像ではないと判断された場合に実行される。ステップＳ３０１で次の原稿を読み取り、前原稿のページと次原稿のページとを用いて裏紙判定をする。裏紙判定処理が完了すると、ステップＳ３０３で前原稿のページに対する処理が判断される。前原稿のページに対してスキャン処理する場合は、ステップＳ３０９へと進み、前原稿のページの送信が開始される。前ページに対してコピー処理をする場合は、ステップＳ３０５に進む。ステップＳ３０５では、プリンタ印字準備が行われる。準備が完了すると、ステップＳ３０７で前ページの印字が開始される。
【００８４】
ここでは、図４のＰ４の画像が裏紙判定された後の処理と想定する。Ｐ４は、裏紙原稿ではなかったものとする。
【００８５】
まず、ステップＳ３０１で次原稿のページ（Ｐ６）の読み取りが完了し、Ｐ４の画像とＰ６の画像との比較によるＰ６の裏紙判定が完了するまで待つ。
【００８６】
その後、ステップＳ３０３でコピーモードかスキャンモードかを判断し、コピーモードの場合は、ステップＳ３０５でプリンタ部の印字準備が完了するまで待ち、完了していればステップＳ３０７でプリンタ部に前原稿のページ（Ｐ４）の画像データを出力することで印字が開始される。
【００８７】
ステップＳ３０３でスキャンモードと判断された場合は、ステップＳ３０９で前原稿のページ（Ｐ４）の画像データがＪＰＥＧ、ＰＤＦなどの画像ファイルに変換されて送信される。
【００８８】
このように図７では、裏紙判定のため、次原稿のページまで読み取ってから、前原稿のページに対する各処理を実行するようにしている。これにより、ＲＡＭ３１７上に残っている前ページの読み取り画像を、次ページの裏紙判定に使用することができる。
【００８９】
ここで言うページの各比較も、表面（奇数ページ）同士、裏面（偶数ページ）同士の比較を指す。
【００９０】
［第２の実施の形態］
次に、本発明の第２の実施の形態におけるＭＦＰについて説明する。第２の実施の形態におけるＭＦＰのハードウェア構成は、第１の実施の形態におけるそれと同様である。ここでは第２の実施の形態が第１の実施の形態と異なる点のみ説明する。
【００９１】
図８は、本発明の第２の実施の形態における裏紙判定処理を示すフローチャートである。この処理は、図５のステップＳ１０５またはＳ１１３で実行されるものである。
【００９２】
ここでは、原稿が順に読み取られ裏紙判定処理されていく際に、裏紙判定処理の結果が連続で同じかどうか判断する。裏紙判定処理が、ある一定回数同じ結果だった場合には、そのジョブ内ではそれ以降も同じ結果とみなし、それ以降の処理では裏紙判定処理を行なわない。すなわち、ある程度連続して裏紙と判定された場合は、裏紙ジョブとする。また、ある程度連続して裏紙でないと判定された場合は、非裏紙ジョブとする。
【００９３】
図８のステップＳ４０１で裏紙ジョブであると判定済みかどうか判断され、判定済みの場合は図５の「裏紙である」の処理分岐にリターンする。裏紙ジョブであるとまだ判定されていない場合は、ステップＳ４０３で非裏紙ジョブであると判定済みかどうか判断される。非裏紙ジョブ判定済みの場合は、図５の「裏紙でない」の処理分岐にリターンする。
【００９４】
裏紙ジョブおよび非裏紙ジョブの判定がまだの場合（本フローチャートで実施されるジョブ判定がまだ実行されていない場合）、ステップＳ４０５で図６の裏紙判定１が行なわれる。図６で説明した裏紙判定処理の結果が、裏紙である場合はステップＳ４１１に進み、結果が連続しているか判断される。ステップＳ４１１で結果が所定回数同じと判断された場合には、そのジョブの判定結果を固定する処理をステップＳ４１３で行なう。ステップＳ４１３では、そのジョブを裏紙ジョブであると処理する。その後、図５の「裏紙である」の処理分岐にリターンする。
【００９５】
図６での裏紙判定処理の結果が、裏紙でない場合にも同様に、ステップＳ４０７で同じ結果が連続しているか判断される。ステップＳ４０７で結果が所定回数同じと判断された場合には、そのジョブの判定結果を固定する処理をステップＳ４０９で行なう。ステップＳ４０９では、そのジョブを非裏紙ジョブであると処理する。その後、図５の「裏紙でない」の処理分岐にリターンする。
【００９６】
一般的に、両面原稿の束に裏紙原稿が混在していることは稀である。逆に裏紙原稿の束の中に両面原稿が混在することも稀である。そのため、本実施の形態では、裏紙判定処理の結果が連続した場合には同一の原稿束であるとみなし、途中から裏紙判定処理をスルーさせる。これにより、処理負荷を軽減でき、生産性に対して有利となる。
【００９７】
［第３の実施の形態］
次に、本発明の第３の実施の形態におけるＭＦＰについて説明する。第３の実施の形態におけるＭＦＰのハードウェア構成は、第１の実施の形態におけるそれと同様である。ここでは第３の実施の形態が第１の実施の形態と異なる点のみ説明する。
【００９８】
図９は、第３の実施の形態における裏紙原稿を事前に登録しておくことが可能な裏紙登録モードを示すフローチャートである。
【００９９】
ここでは図６、８で読み取った画像との比較に使用した、裏紙判定処理用の裏紙画像を事前に登録するものである。
【０１００】
まず、ユーザーまたは管理者が登録したい裏紙を原稿搬送装置１または、プラテンガラス２０５上にセットする。ステップＳ５０１で、使用者がパネル操作部３２５で裏紙登録モード選択キー３２５ａを選択する。
【０１０１】
使用者がスタートキーを押下すると、ステップＳ５０３で原稿が読み込まれる。
【０１０２】
ステップＳ５０５で、読み取った画像が既に裏紙画像として登録済みの画像かどうか判断される。
【０１０３】
読み取った画像が登録済みでなければ、ステップＳ５０７で、画像が裏紙画像として追加登録される。ここで登録された裏紙画像は、以降の裏紙判定で使用される。
【０１０４】
これから使われる裏紙画像を事前に登録しておくことによって、ＭＦＰを使う毎に裏紙判定する必要がなくなり、処理を早めることができる。
【０１０５】
［第４の実施の形態］
次に、本発明の第４の実施の形態におけるＭＦＰについて説明する。第４の実施の形態におけるＭＦＰのハードウェア構成は、第１の実施の形態におけるそれと同様である。ここでは第４の実施の形態が第１の実施の形態と異なる点のみ説明する。
【０１０６】
図１０は、第４の実施の形態における裏紙判定処理を示すフローチャートである。
【０１０７】
ここでは図６の裏紙判定処理のように前回の読み取りページを処理対象の読み取りページを比較するのではなく、処理対象の読み取りページと次回の読み取りページとを比較する。図６の裏紙判定処理では、初めて出てきた裏紙画像は誤判別されてしまう。本実施の形態では、このような判定の抜けを防ぎ、初めて出て来た裏紙画像も裏紙原稿として正しく処理することができる。
【０１０８】
ステップＳ６０１で、次原稿のページの画像を読み込む。ステップＳ６０３で処理対象のページの画像と、次原稿の読み取りページの画像を比較する。ステップＳ６０５で、処理対象のページの画像と、次原稿の読み取りページの画像が一致すると判断された場合は、ステップＳ６１１に進む。一致した画像は、ステップＳ６１１で裏紙画像として登録される。その後、図５の「裏紙である」の処理分岐にリターンする。ステップＳ６０５で、処理対象の画像と次原稿の画像が一致しなかった場合は、ステップＳ６０７に進む。ステップＳ６０７では、既に登録されている裏紙画像と処理対象の画像とが比較される。その後、ステップＳ６０９で、裏紙画像と処理対象の画像とが一致するか判断される。一致する場合は、図５の「裏紙である」の処理分岐にリターンする。一致しなかった場合は、図５の「裏紙でない」の処理分岐にリターンする。
【０１０９】
ここで、図４のように両面同時読取りを行なうときに、Ｐ１の原稿表面を処理している状態を想定し、図１０のフローでの処理を説明する。
【０１１０】
まず、ステップＳ６０１において、表面の次原稿の画像（Ｐ３）を読み込む。
【０１１１】
ステップＳ６０３において、処理対象の画像（Ｐ１）と次原稿の画像（Ｐ３）とを比較する。
【０１１２】
ステップＳ６０５で、Ｐ１とＰ３とが一致すると判断された場合には、ステップＳ６１１に進みその画像が裏紙画像として登録される。その後、図５の「裏紙である」の処理分岐にリターンする。すなわち、ページＰ１の画像は裏紙画像であると判断される。
【０１１３】
ステップＳ６０５で、Ｐ１とＰ３とが一致しない場合は、ステップＳ６０７に進み、既に裏紙画像として登録されている画像と、Ｐ１の画像とを比較する。
【０１１４】
ステップＳ６０９でＰ１が既に裏紙画像として登録されている画像と一致すると判断された場合は、図５の「裏紙である」の処理分岐にリターンする。
【０１１５】
ステップＳ６０９でＰ１と既に裏紙画像として登録されている画像とが一致しない場合は、図５の「裏紙でない」の処理分岐にリターンする。
【０１１６】
この例によると、Ｐ１が初めて出て来た裏紙画像であっても、裏紙画像であると正しく判断され、処理される。
【０１１７】
なお、ステップＳ６０１で、次の画像がない場合（ジョブの最後の原稿であるとき）は、ステップＳ６０３での処理対象の画像と次回の画像との比較を行なわず、ステップＳ６０７の既に裏紙画像として登録されている画像と処理対象の画像との比較処理から行なう。これにより、処理対象のページが、ジョブにおける最後の原稿のページであった場合にも、それまでに登録されている裏紙画像と比較することで、裏紙判定処理が可能である。
【０１１８】
［実施の形態における効果］
以上説明したように、上記実施の形態において画像処理装置は、裏紙原稿を自動的に判別する機能と、裏紙原稿の場合にはその画像を破棄する機能とを有する。
【０１１９】
このため、片面原稿か両面原稿かを自動的に判別するモードにおいて、裏紙原稿使用時でも無駄なファイル送信や無駄なプリント出力を防止することが可能となり、ユーザーの利便性が高まる。
【０１２０】
また、裏紙画像を事前に登録しておくことも可能である。これにより、処理を早めることができる。
【０１２１】
［その他］
本発明はＭＦＰ、ファクシミリ装置、複写機などの画像形成装置に対して実施することができる。
【０１２２】
また、上述の実施の形態における処理は、ソフトウエアによって行なっても、ハードウェア回路を用いて行なってもよい。
【０１２３】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。また、プログラムはインターネットなどの通信回線を介して、装置にダウンロードするようにしてもよい。
【０１２４】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２５】
【図１】第１の実施の形態におけるＭＦＰの概観図である。
【図２】自動原稿送り装置を含む画像読取部１の構成を示す図である。
【図３】図１のＭＦＰに含まれる制御部を示す図である。
【図４】画像読取部１における通常の両面同時読み取り時の動作を示す図である。
【図５】図１のＭＦＰの画像読み取り処理における基本制御を示すフローチャートである。
【図６】図５のステップＳ１０５またはＳ１１３で実行される裏紙判定処理を示すフローチャートである。
【図７】図５のステップＳ１０７で実行されるコピー／スキャン処理を示すフローチャートである。
【図８】第２の実施の形態における裏紙判定処理を示すフローチャートである。
【図９】第３の実施の形態における裏紙原稿を事前に登録しておくことが可能な裏紙登録モードを示すフローチャートである。
【図１０】第４の実施の形態における裏紙判定処理を示すフローチャートである。
【符号の説明】
【０１２６】
１  画像読取部
３  画像処理部
５  画像形成部
７  給紙部
９  排紙部
１０１  原稿運搬装置
１０３  読み取りユニット
２０１  給紙トレイ
２０２  第一読み取り位置
２０３  第二読み取り位置
２０４  排出トレイ
２０５  プラテンガラス
２０６  露光装置
２０７，２０８，２０９  ミラー
２１１  レンズ
２１３  ＣＣＤ
２２０  給紙ローラー
２２１  分離ローラー
２２２  搬送ローラー
２２３  読み取り前ローラー
２２４  読み取り後ローラー
２２５  反転ローラー
２２６  排紙ローラー
３２０  ＣＩＳ
【図１】
0004985418.tif 000002
【図２】
0004985418.tif 000003
【図３】
0004985418.tif 000004
【図４】
0004985418.tif 000005
【図５】
0004985418.tif 000006
【図６】
0004985418.tif 000007
【図７】
0004985418.tif 000008
【図８】
0004985418.tif 000009
【図９】
0004985418.tif 000010
【図１０】
0004985418.tif 000011